(57)【要約】      （修正有）【課題】必要に応じてプラグコネクターの第１のモジュールと第２のモジュールを分けて単独で使用する、もしくは合併して共同使用することができるＵＳＢプラグコネクター及びその組合せを提供する。【解決手段】ケーブル５００、第１のコネクター２０、第２のコネクター３０及びプラグコネクターを含む。第１のコネクター２０はケーブル５００の第１の端５０１に接続される。第２のコネクター３０はケーブル５００の第３の端５０３に接続される。プラグコネクターは第１の絶縁本体、第２の絶縁本体、複数の第１の端子及び複数の第２の端子を含む。第１の絶縁本体と複数の第１の端子は第１のモジュール１００を構成する。第２の絶縁本体と複数の第２の端子は第２のモジュール２００を構成する。第１のモジュール１００と第２のモジュール２００は連結ユニットを介して移動可能に結合する。【選択図】図１
0003179433.tif 000002
【実用新案登録請求の範囲】
【請求項１】
第１の絶縁本体、第２の絶縁本体、複数の第１の端子及び複数の第２の端子を含むＵＳＢプラグコネクターであって、
前記複数の第１の端子は前記第１の絶縁本体に設置され、
前記複数の第２の端子は前記第２の絶縁本体に設置され、
前記第１の絶縁本体と前記複数の第１の端子は第１のモジュールを構成し、
前記第２の絶縁本体と前記複数の第２の端子は第２のモジュールを構成し、
前記第１のモジュールと前記第２のモジュールは連結ユニットを介して移動可能に結合することを特徴とするＵＳＢプラグコネクター。
【請求項２】
前記ＵＳＢプラグコネクターはＵＳＢ３.０のマイクロＢプラグコネクターの規格を満たし、
前記第１のモジュールと前記第２のモジュールは並列に設置されることを特徴とする請求項１に記載のＵＳＢプラグコネクター。
【請求項３】
前記連結ユニットは枢軸構造と外装ケースを含み、
前記外装ケースは前記第１のモジュールと前記第２のモジュールの後部を覆い、
前記枢軸構造は、前記第２のモジュールと前記外装ケースとの間、若しくは前記第１のモジュールと前記外装ケースとの間に設けられることを特徴とする請求項２に記載のＵＳＢプラグコネクター。
【請求項４】
前記連結ユニットは外装ケースを含み、
前記外装ケースは前記第１のモジュールと前記第２のモジュールの後部を覆い、
前記第１のモジュールは前記外装ケースに固定または移動可能に設置され、
前記第２のモジュールは前記外装ケースに固定または移動可能に設置されることを特徴とする請求項２に記載のＵＳＢプラグコネクター。
【請求項５】
前記連結ユニットは外装ケースを含み、
前記外装ケースは前記第１のモジュールと前記第２のモジュールの後部を覆い、
前記第１のモジュールと前記第２のモジュールの何れも前記外装ケースに移動可能に設置されることを特徴とする請求項２に記載のＵＳＢプラグコネクター。
【請求項６】
前記連結ユニットは摺動構造と外装ケースを含み、
前記外装ケースは前記第１のモジュールと前記第２のモジュールの後段を覆い、
前記摺動構造は水平方向に設置されており、前記第１のモジュールと前記第２のモジュールとの間に設置されることを特徴とする請求項２に記載のＵＳＢプラグコネクター。
【請求項７】
前記第１の絶縁本体と前記複数の第１の端子は第１のシールドケースに覆われ、
前記第２の絶縁本体と前記複数の第２の端子は第２のシールドケースに覆われることを特徴とする請求項２に記載のＵＳＢプラグコネクター。
【請求項８】
前記ＵＳＢプラグコネクターの両側にはアダプタを組み付けるためのスライド溝が形成されることを特徴とする請求項２に記載のＵＳＢプラグコネクター。
【請求項９】
前記ＵＳＢプラグコネクターはＵＳＢ３.０のＢタイプのプラグコネクターの規格を満たし、
前記第１のモジュールと前記第２のモジュールは重ねて設置されることを特徴とする請求項１に記載のＵＳＢプラグコネクター。
【請求項１０】
前記ＵＳＢプラグコネクターの両側にはアダプタを組み付けるためのスライド溝が形成されることを特徴とする請求項９に記載のＵＳＢプラグコネクター。
【請求項１１】
前記ＵＳＢプラグコネクターはケーブルに電気的に接続されることを特徴とする請求項１に記載のＵＳＢプラグコネクター。
【請求項１２】
ケーブル、第１のコネクター、第２のコネクター及びプラグコネクターを含み、
前記ケーブルは、第１の端、第２の端及び第３の端を有し、
前記第１のコネクターは前記ケーブルの前記第１の端に接続され、
前記第２のコネクターは前記ケーブルの前記第３の端に接続され、
前記プラグコネクターは、第１の絶縁本体、第２の絶縁本体、複数の第１の端子及び複数の第２の端子を含み、
前記複数の第１の端子は前記第１の絶縁本体に設置され、
前記複数の第２の端子は前記第２の絶縁本体に設置され、
前記第１の絶縁本体と前記複数の第１の端子は第１のモジュールを構成し、
前記第２の絶縁本体と前記複数の第２の端子は第２のモジュールを構成し、
前記第１のモジュールと前記第２のモジュールは連結ユニットを介して移動可能に結合し、
前記プラグコネクターは前記ケーブルの前記第２の端に接続することを特徴とするＵＳＢプラグコネクターの組合せ。
【請求項１３】
前記プラグコネクターはＵＳＢ３.０のマイクロＢプラグコネクターの規格を満たし、
前記第１のモジュールと前記第２のモジュールは並列に設置されることを特徴とする請求項１２に記載のＵＳＢプラグコネクターの組合せ。
【請求項１４】
前記連結ユニットは枢軸構造と外装ケースを含み、
前記外装ケースは前記第１のモジュールと前記第２のモジュールの後部を覆い、
前記枢軸構造は、前記第２のモジュールと前記外装ケースとの間、若しくは前記第１のモジュールと前記外装ケースとの間に設けられることを特徴とする請求項１３に記載のＵＳＢプラグコネクターの組合せ。
【請求項１５】
前記連結ユニットは外装ケースを含み、
前記外装ケースは前記第１のモジュールと前記第２のモジュールの後部を覆い、
前記第１のモジュールは前記外装ケースに固定または移動可能に設置され、
前記第２のモジュールは前記外装ケースに固定または移動可能に設置されることを特徴とする請求項１３に記載のＵＳＢプラグコネクターの組合せ。
【請求項１６】
前記連結ユニットは外装ケースを含み、
前記外装ケースは前記第１のモジュールと前記第２のモジュールの後部を覆い、
前記第１のモジュールと前記第２のモジュールの何れも前記外装ケースに移動可能に設置されることを特徴とする請求項１３に記載のＵＳＢプラグコネクターの組合せ。
【請求項１７】
前記連結ユニットは摺動構造と外装ケースを含み、
前記外装ケースは前記第１のモジュールと前記第２のモジュールの後段を覆い、
前記摺動構造は、水平方向に設置されており、前記第１のモジュールと前記第２のモジュールとの間に設けられることを特徴とする請求項１３に記載のＵＳＢプラグコネクターの組合せ。
【請求項１８】
前記プラグコネクターはＵＳＢ３.０のＢタイプのプラグコネクターの規格を満たし、
前記第１のモジュールと前記第２のモジュールは重ねて設置されることを特徴とする請求項１２に記載のＵＳＢプラグコネクターの組合せ。
【考案の詳細な説明】
【技術分野】
【０００１】
本考案はプラグコネクター（ｐｌｕｇ  ｃｏｎｎｅｃｔｏｒ）に関するものであり、特にＵＳＢ（Ｕｎｉｖｅｒｓａｌ Ｓｅｒｉａｌ Ｂｕｓ、ユニバーサル・シリアル・バス）３.０の規格仕様のＵＳＢプラグコネクター及びその組合せに関するものである。
【背景技術】
【０００２】
ＵＳＢ３.０のコネクターはＵＳＢ２.０のコネクターとの後方互換性を保つという規格仕様にされているため、コネクターの種類にもマイクロＢ（Ｍｉｃｒｏ−B）タイプのコネクターがある。マイクロＢコネクターは体積がより小さいため、携帯電話などのコンパクトなポータブル電子機器に配置することができる。
【０００３】
ところが、現在のＵＳＢプラグコネクター（例えばマイクロＢコネクター）はいずれも一体化にされるものであり、プラグコネクターの複数の第１の端子と複数の第２の端子は同じ絶縁本体に設けられることで、それらの第１の端子と第２の端子はそれぞれ対応するソケットコネクター（ｓｏｃｋｅｔ ｃｏｎｎｅｃｔｏｒ）に同時挿接しなければならないため、単独で使用することができず、用途が制限されている。
【考案の概要】
【考案が解決しようとする課題】
【０００４】
そこで、本考案の主な目的は、必要に応じてプラグコネクターの第１のモジュールと第２のモジュールを分けて単独で使用する、もしくは合併して共同使用することができるＵＳＢプラグコネクター及その組合せを提供することにある。
【課題を解決するための手段】
【０００５】
本考案は、第１の絶縁本体、第２の絶縁本体、複数の第１の端子、複数の第２の端子を含み、前記複数の第１の端子は前記第１の絶縁本体に設置され、前記複数の第２の端子は前記第２の絶縁本体に設置され、前記第１の絶縁本体と前記複数の第１の端子は第１のモジュールを構成し、前記第２の絶縁本体と前記複数の第２の端子は第２のモジュールを構成し、前記第１のモジュールと前記第２のモジュールは連結ユニットを介して移動可能に結合することを特徴とするＵＳＢプラグコネクターを提供する。
【０００６】
また、本考案は、ケーブル、第１のコネクター、第２のコネクター及びプラグコネクターを含み、前記ケーブルは第１端、第２の端及び第３の端を有し、前記第１のコネクターは前記ケーブルの前記第１の端に接続され、前記第２のコネクターは前記ケーブルの前記第３の端に接続され、前記プラグコネクターは第１の絶縁本体、第２の絶縁本体、複数の第１の端子及び複数の第２の端子を含み、前記複数の第１の端子は前記第１の絶縁本体に設置され、前記複数の第２の端子は前記第２の絶縁本体に設置され、前記第１の絶縁本体と前記複数の第１の端子は第１のモジュールを構成し、前記第２の絶縁本体と前記複数の第２の端子は第２のモジュールを構成し、前記第１のモジュールと前記第２のモジュールは連結ユニットを介して移動可能に結合し、前記プラグコネクターは前記ケーブルの第２の端に接続されることを特徴とするＵＳＢプラグコネクターの組合せを提供する。
【考案の効果】
【０００７】
本考案によれば、以下の顕著な効果を奏することができる。
【０００８】
本考案に係るプラグコネクターの第１のモジュールと第２のモジュールはそれぞれ独立のモジュールであり、必要に応じて分けて単独で使用する、もしくは合併して共同使用することができるため、用途が広くなり、使い勝手が一層よくなる。
【０００９】
本考案の第１のコネクター、第２のコネクター、プラグコネクター及びケーブルはベース体に収容されることができるため、身につけて持ちやすくて、ユーザーの使用利便性が図られる。
【図面の簡単な説明】
【００１０】
【図１】本考案に係る第１の実施例のプラグコネクターの組合せの模式図。
【図２】本考案に係る第１の実施例のプラグコネクターの組合せの使用状態の模式図。
【図３】本考案に係る第１の実施例のプラグコネクターの組合せの別の使用状態の模式図。
【図４】本考案に係る第１の実施例のプラグコネクターの模式図。
【図５】本考案に係る第１の実施例のプラグコネクターの別の模式図。
【図６】本考案に係る第１の実施例のプラグコネクターの使用状態の模式図。
【図７】本考案に係る第１の実施例のプラグコネクターの別の使用状態の模式図。
【図８】本考案に係る第２の実施例のプラグコネクターの使用状態の模式図。
【図９】本考案に係る第２の実施例のプラグコネクターの別の使用状態の模式図。
【図１０】本考案に係る第３の実施例のプラグコネクターの使用状態の模式図。
【図１１】本考案に係る第３の実施例のプラグコネクターの別の使用状態の模式図。
【図１２】本考案に係る第４の実施例のプラグコネクターの使用状態の模式図。
【図１３】本考案に係る第５の実施例のプラグコネクターの使用状態の模式図。
【図１４】本考案に係る第６の実施例のプラグコネクターの使用状態の模式図。
【図１５】本考案に係る第７の実施例のプラグコネクターの使用状態の模式図。
【図１６】本考案に係る第８の実施例のプラグコネクターの使用状態の模式図。
【図１７】本考案に係る第９の実施例のプラグコネクターの使用状態の模式図。
【図１８】本考案に係る第１０の実施例のプラグコネクターの使用状態の模式図。
【図１９】本考案に係る第１１の実施例のプラグコネクターの組合せの模式図。
【図２０】本考案に係る第１２の実施例のプラグコネクターの組合せの模式図。
【図２１】本考案に係る第１３の実施例のプラグコネクターの使用状態の模式図。
【図２２】本考案に係る第１４の実施例のプラグコネクターの使用状態の模式図。
【図２３】本考案に係る第１５の実施例のプラグコネクターの使用状態の模式図。
【考案を実施するための形態】
【００１１】
以下、本明細書と図面に開示された本考案の実施形態は、本考案の技術内容をより分かりやすく説明し、本考案の理解を助けるために実施例を挙げたことに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１２】
〔第１の実施例〕
図１〜図７を参照してください。本考案はＵＳＢプラグコネクター及びその組合せに関するものである。本実施例において、ＵＳＢ３.０のマイクロＢコネクターの規格を満たすマイクロタイプの高速プラグコネクターを開示する。図４〜図７に示すように、プラグコネクターは第１の絶縁本体１、第２の絶縁本体２、複数の第１の端子３及び複数の第２の端子４を含む。第１の絶縁本体１は第１の基部１１及び第１のプレート１２を備える。第１のプレート１２は第１の基部１１から前向きに突出する。複数の第１の端子３は、第１の絶縁本体１に設置されており、それぞれ第１の基部１１を貫通して第１のプレート１２に設置される。複数の第１の端子３は、ＵＳＢ２.０の転送プロトコルを実行することができる。複数の第１の端子３のそれぞれは第１の固定部３１、第１の接触部３２及び第１の半田付け部３３を備える。第１の固定部３１は第１の基部１１を貫通して設置される。第１の接触部３２は、第１の固定部３１から前向きに突出して第１のプレート１２に設置される。第１の半田付け部３３は第１の固定部３１から後向きに突出する。
【００１３】
第２の絶縁本体２は第２の基部２１と第２のプレート２２を備える。第２のプレート２２は第２の基部２１から前向きに突出する。複数の第２の端子４は第２の絶縁本体２に設置されており、それぞれ第２の基部２１を貫通して第２のプレート２２に設置される。複数の第２の端子４は第１の端子３と協働してＵＳＢ３.０の転送プロトコルを実行することができる。複数の第２の端子４は、２ベアの高速転送端子及びその２ベアの高速転送端子の間に位置するグランド（ＧＮＤ）端子を有する。複数の第２の端子４のそれぞれは、第２の固定部４１、第２の接触部４２及び第２の半田付け部４３を備える。第２の固定部４１は第２の基部２１を貫通して設置される。第２の接触部４２は、第２の固定部４１から前向きに突出して第２のプレート２２に設置される。第２の半田付け部４３は第２の固定部４１から後向きに突出する。一般的に、それらの第１の端子３の第１の半田付け部３３及び第２の端子４の第２の半田付け部４３は半田付けでケーブルに電気的に接続することによってケーブルコネクターを製作したが、これに限定されるものではなく、ほかの装置に電気的に接続してもよい。
【００１４】
また、図５に示すように、第１のシールドケース５及び第２のシールドケース６を含んでもよい。第１のシールドケース５は第１の絶縁本体１と複数の第１の端子３を覆う。第１のシールドケース５の内部には、第１の絶縁本体１と第１の端子３を収容するための第１の収容室５１が形成される。第２のシールドケース６は第２の絶縁本体２と複数の第２の端子４を覆う。第２のシールドケース６の内部には、第２の絶縁本体２と第２の端子４を収容するための第２の収容室６１が形成される。
【００１５】
第１の絶縁本体１と複数の第１の端子３は第１のモジュール１００を構成する。第２の絶縁本体２と複数の第２の端子４は第２のモジュール２００を構成する。第１、第２のモジュール１００、２００は並列に設置されており、それぞれ独立のモジュールであるため、必要に応じて分けて単独で使用する、もしくは合併して共同使用することができる。第１のモジュール１００と第２のモジュール２００は連結ユニットによって結合されるが、その結合の方式には特に制限がない。第１のモジュール１００と第２のモジュール２００は、枢軸構造、摺動構造、若しくは係合構造など各種の構造を連結ユニットとして利用することによって移動可能に結合することができる。第１のモジュール１００と第２のモジュール２００の移動の方式は特に制限がなく、左右回転、前後摺動、若しくは上下回転などの方式にしてもよい。第１のモジュール１００と第２のモジュール２００は、一方が固定設置され、他方が移動可能に設置されてもよく、両方とも移動可能に設置されてもよい。
【００１６】
本実施例において、第１のモジュール１００と第２のモジュール２００は摺動結合及び前後摺動の方式である。第１のモジュール１００と第２のモジュール２００との間には摺動構造８が水平方向に設置される。摺動構造８は、第１の絶縁本体１と第２の絶縁本体２との間に設置されることができるが、その構造には特に制限がなく、対応する摺動部８１、８２で構成してもよい。例えば、第１の絶縁本体１には鳩尾溝状の摺動部８１が設けられ、第２の絶縁本体２には鳩尾状の摺動部８２が設けられるようにしてもよい。摺動部８１、８２による摺動で第１の絶縁本体１と第２の絶縁本体２とを摺動可能に結合させる。
【００１７】
本実施例において、第１のモジュール１００及び第２のモジュール２００の後部はさらに外装ケース１０によって覆われる。第１のモジュール１００及び第２のモジュール２００は摺動構造８と外装ケース１０より構成される連結ユニットにより移動可能に結合することができる。第１のモジュール１００と第２のモジュール２００は前後摺動して移動することができる。図７に示すように、第２のモジュール２００を後方へ摺動させてから、第１のモジュール１００だけを使用して、対接するソケットコネクターに挿接して電気的に接続することができる。また、第２のモジュール２００を簡単に前後移動させるために、第２の絶縁本体２に押しボタン２３を凸設してもよい。また、図６に示すように、第１のモジュール１００及び第２のモジュール２００を共同使用して、対接するソケットコネクターに挿接して電気的に接続することができる。
【００１８】
本実施例において、第１のモジュール１００は外装ケース１０に固定設置されるため、前後摺動することができない。一方、第２のモジュール２００は外装ケース１０に移動可能に設置されるため、第２のモジュール２００のみ前後摺動することができる。また、第１のモジュール１００と第２のモジュール２００の何れも前後摺動できるように第１のモジュール１００と第２のモジュール２００を外装ケース１０に移動可能に設置してもよい。また、外装ケース１０に、第１のモジュール１００を移動可能に設置して、第２のモジュール２００を固定設置してもよい。いずれのモジュールが前後摺動することができれば、単独で使用すること及び共同使用することを果たすことができる。
【００１９】
図１〜図３に示すように、プラグコネクターはケーブル５００に電気的に接続することができる。ケーブル５００はＹ形ケーブルであり、第１の端５０１、第２の端５０２及び第３の端５０３を備える。第１の端５０１の一方は分岐して第２の端５０２及び第３の端５０３に接続する。ケーブル５００の第１の端５０１は第１のコネクター２０に、第２の端５０２はプラグコネクターに、第３の端５０３は第２のコネクター３０にそれぞれ接続することによって、プラグコネクターと第２のコネクター３０はケーブル５００を介して第１のコネクター２０と電気的に接続する。第１のコネクター２０はＵＳＢ３.０のＡタイプのプラグコネクター、ＵＳＢ３.０のＢタイプのプラグコネクターの規格を満たすものでもよく、他の型式のコネクターでもよい。第２のコネクター３０はＭｉｎｉ ＵＳＢプラグコネクター、ｉＰｈｏｎｅプラグコネクターでもよく、他の型式のコネクターでもよい。
【００２０】
第１のコネクター２０、第２のコネクター３０、プラグコネクター及びケーブル５００を組合せてからベース体４０に設置してもよい。ベース体４０は物が掛けられるための吊掛部４０４を備えるようにしてもよいため、キーホルダーとして使うことができる。ベース体４０はワンパーツ又はツーパーツの構造にすることができる。たとえば、ベース体４０は上蓋４０１及び下蓋４０２より構成され、係合またはネジ締め付けなどの方式で上蓋４０１と下蓋４０２を結合するようにしてもよいが、ベース体４０の構造及び型式は特に制限がない。第１のコネクター２０、第２のコネクター３０、プラグコネクター及びケーブル５００はベース体４０の内部又は表面に形成される容置空間４０３に収容されることができる。図３に示すように、第１のコネクター２０、第２のコネクター３０、プラグコネクター及びケーブル５００は容易に取り出されて使用するためにベース体４０に移動可能に設置されてもよい。また、図２に示すように、ケーブル５００をベース体４０に固定的に設置すると共に、第１のコネクター２０、第２のコネクター３０及びプラグコネクターをベース体４０から突出することができるように可動的に設置してもよい。
【００２１】
〔第２の実施例〕
図８及び図９を参照してください。本実施例において、第１のモジュール１００と第２のモジュール２００は枢軸結合と左右回転の方式を使用する。第２のモジュール２００の後部には枢軸構造７が設置される。枢軸構造７の軸心は垂直方向に伸びる。枢軸構造７は第２のモジュール２００と外装ケース１０との間に設置してもよい。また、枢軸構造７の構造は特に制限がなく、枢軸と軸穴より構成してもよい。例えば、第２の絶縁本体２には枢軸７１（あるいは軸穴）を設けると共に、外装ケース１０にはその枢軸７１（あるいは軸穴）と対応する軸穴７２（あるいは枢軸）を設けて、枢軸７１と軸穴７２の協働により第２の絶縁本体２と外装ケース１０とを枢接するようにしてもよい。
【００２２】
本実施例において、第１のモジュール１００と第２のモジュール２００は枢軸構造７及び外装ケース１０より構成される連結ユニットにより、移動可能に結合することによって、左右回転に移動できる。例えば、図９に示すように、第２のモジュール２００を一側に回転させ、第１のモジュール１００だけを使用し、対接するソケットコネクターに挿接して電気的に接続することができる。また、図８に示すように、第１のモジュール１００と第２のモジュール２００を共同使用し、対接するソケットコネクターに挿接して電気的に接続することもできる。また、左右回転できないように第１のモジュール１００が外装ケース１０に固定設置されると共に、第２のモジュール２００のみ左右回転できるように第２のモジュール２００が外装ケース１０に移動可能に設置されるようにしてもよい。
【００２３】
また、第１のモジュール１００と第２のモジュール２００との間は係合構造（図示せず）により結合するようにしてもよい。その係合構造は第１の絶縁本体１と第２の絶縁本体２との間、若しくは、第１の絶縁本体１と第２の絶縁本体２と外装ケース１０との間に設けられるようにしてもよい。係合構造の構造は特に制限がなく、ペアになる二つの係合部材（図示せず）より構成されることによって、第１の絶縁本体１と第２の絶縁本体２を係合する、若しくは第１の絶縁本体１、第２の絶縁本体２及び外装ケース１０を係合するようにしてもよい。
【００２４】
〔第３の実施例〕
図１０及び図１１を参照してください。本考案に係る第３の実施例において、第１のモジュール１００と第２のモジュール２００は枢接結合と上下回転の方式を採用する。第２のモジュール２００の後部には枢軸構造９が設置される。枢軸構造９の軸心は水平方向に伸びる。枢軸構造９は第２のモジュール２００と外装ケース１０との間に設置してもよく、第２のモジュール２００と第１のモジュール１００との間に設置してもよい。枢軸構造９の構造は特に制限がなく、枢軸と軸穴より構成してもよい。例えば、第２の絶縁本体２には枢軸９１（あるいは軸穴）を設けると共に、外装ケース１０にはその枢軸９１（あるいは軸穴）と対応する軸穴９２（あるいは枢軸）を設けて、枢軸９１と軸穴９２の協働により第２の絶縁本体２と外装ケース１０とを枢接するようにしてもよい。
【００２５】
第１のモジュール１００と第２のモジュール２００は、枢軸構造９及び外装ケース１０より構成される連結ユニットにより移動可能に結合することができることによって、上下回転に移動できる。例えば、図１１に示すように、第２のモジュール２００を上向きや下向きに回転させ、第１のモジュール１００のみを使用し、対接するソケットコネクターに挿接して電気的に接続することができる。また、図１０に示すように、第１のモジュール１００及び第２のモジュール２００を共同使用し、対接するソケットコネクターに挿接して電気的に接続することもできる。
【００２６】
本実施例において、第１のモジュール１００は外装ケース１０に固定設置されるため、上下回転できない。第２のモジュール２００は外装ケース１０に移動可能に設置されるため、第２のモジュール２００のみ上下回転できる。第１のモジュール１００と第２のモジュール２００は枢軸構造９により結合するようにしてもよい。枢軸構造９は、第１の絶縁本体１と第２の絶縁本体２との間に設けられるようにしても良く、第１の絶縁本体１と第２の絶縁本体２と外装ケース１０との間に設けられるようにしてもよい。これにより、第１の絶縁本体１と第２の絶縁本体２とを枢接する、若しくは、第１の絶縁本体１、第２の絶縁本体２及び外装ケース１０を枢接することができる。
【００２７】
第１のモジュール１００と第２のモジュール２００が移動可能に設置される場合、第１のモジュール１００、第２のモジュール２００の動きを邪魔しないために、接続されるケーブルを比較的に長くする若しくは枢軸構造７、９の内部に穿設することにとって、第１のモジュール１００と第２のモジュール２００はスムーズに動く（移動する）ことができる。
【００２８】
〔第４〜第６の実施例〕
図１２〜図１４を参照してください。本考案に係る第４〜第６の実施例において、ＵＳＢ３.０のＢタイプのプラグコネクターの規格を満たすプラグコネクターを開示する。第４〜第６の実施例において、プラグコネクターは同様に第１の絶縁本体１、第２の絶縁本体２、第１の端子３、第２の端子４、第１のシールドケース５及び第２のシールドケース６などの部材を備える。その構造が第１〜第３の実施例とほぼ同じではあるが、その差異点は第４〜第６の実施例の部材がＵＳＢ３.０のＢタイプの規格を満たすことにある。第１のモジュール１００と第２のモジュール２００はそれぞれ独立のモジュールであり、重ねて設置され、必要に応じて分けて単独で使用する、もしくは合併して共同使用することができる。第１のモジュール１００と第２のモジュール２００は、枢軸構造、摺動構造又は係合構造など各種の構造を利用することができる。また、外装ケース１０と組み合わせて連結ユニットとして移動可能に結合することもできる。第１のモジュール１００と第２のモジュール２００の移動方式は左右回転、前後摺動或上下回転などの移動方式を使用することができる。
【００２９】
枢軸構造、摺動構造及び係合構造などの構造は、第１の絶縁本体１と第２の絶縁本体２との間に設置されることに限定されておらず、第１のシールドケース５と第２のシールドケース６との間に設置されてもよく、第１の絶縁本体１と第２の絶縁本体２と外装ケース１０との間に設置されてもよい。また、第１のモジュール１００に第１の外装ケース（図示せず）を設置し、第２のモジュール２００に第２の外装ケース（図示せず）を設置し、第１の外装ケースと第２の外装ケースとの間に枢軸構造、摺動構造もしくは係合構造などの構造を設置し連結ユニットとすることによって、第１のモジュール１００と第２のモジュール２００を移動可能に結合するようにしてもよい。
【００３０】
〔第７、第８の実施例〕
図１５及び図１６を参照してください。本考案に係る第７、第８の実施例において、ＵＳＢ３.０のマイクロＢタイプのプラグコネクターの規格を満たすプラグコネクターを開示する。プラグコネクターの後部には第１のコネクター２０が接続される。複数の第１の端子３の第１の半田付け部３３及び複数の第２の端子４の第２の半田付け部４３は、対応する第１のコネクター２０の各端子（図示せず）にそれぞれ電気的に接続される。これにより、アダプタ装置を構成することができる。第１のコネクター２０はＵＳＢ３.０のＢタイプのプラグコネクター（図１５に示すように）、ＵＳＢ３.０のＡタイプのプラグコネクターの規格（図１６に示すように）を満たすものでもよく、他の型式のコネクターでもよい。
【００３１】
〔第９、第１０の実施例〕
図１７及び図１８を参照してください。本考案に係る第９、第１０の実施例において、プラグコネクターの両側にはアダプタ３００を組み付けるためのスライド溝４００が形成される。アダプタ３００は二つの結合アーム３０１を有し、それぞれの結合アーム３０１の内側面には枢接部３０２が形成される。プラグコネクターをアダプタ３００に組み付けると、プラグコネクターはアダプタ３００に挿接して電気的に接続することができる。アダプタ３００に設置される枢接部３０２とスライド溝４００は協働してスライド効果を発生させることにより、プラグコネクターが使用されない場合、二つの結合アーム３０１の間に移動できると共に、異なる方向に回転することができるため、アダプタ３００を取り外せずにプラグコネクターを単独で使用することができ、使い勝手がよい。
【００３２】
〔第１１の実施例〕
図１９を参照してください。本考案において、第１のコネクター２０、第２のコネクター３０、プラグコネクター及びケーブル５００はベース体４０に設置される。また、物が掛けられるために、ケーブル５００はベース体４０から突出するようにしてもよい。
【００３３】
〔第１２の実施例〕
図２０を参照してください。本実施例において、ベース体４０にアダプタ６００が固定設置される。アダプタ６００は、電気的に接続されるメス（ｆｅｍａｌｅ）コネクター６０１とオス(ｍａｌｅ)コネクター６０２を有する。オスコネクター６０２はベース体４０から突出する。プラグコネクターの第１のモジュール１００と第２のモジュール２００はアダプタ６００のメスコネクター６０１に挿接される。メスコネクター６０１は、第１のモジュール１００及び第２のモジュール２００に対応するコネクターである。オスコネクター６０２はｉＰｈｏｎｅのプラグコネクター、または他の型式のコネクターでもよい。
【００３４】
〔第１３の実施例〕
図２１を参照してください。本実施例において、プラグコネクターはケーブル５００に電気的に接続される。ケーブル５００は、第１の端５０１、第２の端５０２及び第３の端５０３を備える。第１の端５０１の一方は分岐して第２の端５０２と第３の端５０３に接続される。ケーブル５００の第１の端５０１には第１のコネクター２０が接続される。ケーブル５００の第２の端５０２はプラグコネクターの第１のモジュール１００に接続される。ケーブル５００の第３の端５０３はプラグコネクターの第２のモジュール２００に接続される。これにより、プラグコネクターはケーブル５００を介して第１のコネクター２０と電気的に接続する。第１のモジュール１００と第２のモジュール２００は、枢軸構造、摺動構造又は係合構造などの構造を連結ユニットとすることによって、移動可能に結合することができる。図２１に示す連結ユニットは係合構造である。
【００３５】
〔第１４の実施例〕
図２２を参照してください。本実施例において、第１のモジュール１００及び第２のモジュール２００を簡単に前後移動させるために、第１の絶縁本体１と第２の絶縁本体２にぞれぞれ押しボタン１３、２３が凸設される。第１のモジュール１００と第２のモジュール２００の何れも前後摺動できるように、第１のモジュール１００と第２のモジュール２００の何れも外装ケース１０に移動可能に設置される。
【００３６】
〔第１５の実施例〕
図２３に示すように、連結ユニット７００は摺動構造である。本考案において、プラグコネクターの第１のモジュール１００及び第２のモジュール２００は可動構造（例えば回転構造、摺動構造、係合構造など）の設計を使用する。第１のモジュール１００と第２のモジュール２００はそれぞれ独立のモジュールであり、必要に応じて分けて単独で使用する、もしくは合併して共同使用することができるため、用途が広くなり、使い勝手が一層よくなる。本考案において、第１のコネクター２０、第２のコネクター３０、プラグコネクター及びケーブル５００はベース体４０に収容されることができるため、身につけて持ちやすくて、ユーザーの使用利便性が図られる。
【００３７】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００３８】
１  第１の絶縁本体      １０  外装ケース        １１  第１の基部
１２  第１のプレート    １３  押しボタン        １００  第１のモジュール
２  第２の絶縁本体      ２０  第１のコネクター  ２１  第２の基部
２２  第２のプレート    ２３  押しボタン        ２００  第２のモジュール
３  第１の端子          ３０  第２のコネクター  ３１  第１の固定部
３２  第１の接触部      ３３  第１の半田付け部  ３００  アダプタ
３０１  結合アーム      ３０２  枢接部          ４  第２の端子
４０  ベース体          ４１  第２の固定部      ４２  第２の接触部
４３  第２の半田付け部  ４００  スライド溝      ４０１  上蓋
４０２  下蓋            ４０３  容置空間        ４０４  吊掛部
５  第１のシールドケース  ５１  第１の収容室    ５００  ケーブル
５０１  第１の端        ５０２  第２の端        ５０３  第３の端
６  第２のシールドケース  ６１  第２の収容室    ６００  アダプタ
６０１  メスコネクター    ６０２  オスコネクター
７  枢軸構造            ７１  枢軸              ７２  軸穴
７００  連結ユニット    ８  摺動構造            ８１  摺動部
８２  摺動部            ９  枢軸構造            ９１  枢軸
９２  軸穴
【図１】
0003179433.tif 000003
【図２】
0003179433.tif 000004
【図３】
0003179433.tif 000005
【図４】
0003179433.tif 000006
【図５】
0003179433.tif 000007
【図６】
0003179433.tif 000008
【図７】
0003179433.tif 000009
【図８】
0003179433.tif 000010
【図９】
0003179433.tif 000011
【図１０】
0003179433.tif 000012
【図１１】
0003179433.tif 000013
【図１２】
0003179433.tif 000014
【図１３】
0003179433.tif 000015
【図１４】
0003179433.tif 000016
【図１５】
0003179433.tif 000017
【図１６】
0003179433.tif 000018
【図１７】
0003179433.tif 000019
【図１８】
0003179433.tif 000020
【図１９】
0003179433.tif 000021
【図２０】
0003179433.tif 000022
【図２１】
0003179433.tif 000023
【図２２】
0003179433.tif 000024
【図２３】
0003179433.tif 000025